(57)【特許請求の範囲】
【請求項１】
胴部と、前記胴部の天面を覆う頂部と、を備えて内部に複数の物品を収容し、当該収容状態において略直方体形状を呈する包装袋であって、
前記頂部は、前記天面と平行に配されて前記物品を覆う天面部およびその周縁から立ち上がる立ち上がり部を含み、
前記天面部には、破断に応じ開口を形成することで前記包装袋を開封する開封線が設けられ、
前記立ち上がり部には、互いに係合可能な一対の係合部を有し、前記包装袋の内部を開放／閉塞することが可能な開閉部が設けられ、
前記開閉部は、前記立ち上がり部が囲む前記天面部の上の空間に面するように内周に沿ってその全体に配置され、前記係合部同士を係合させることで、前記立ち上がり部が前記開口を覆い、
前記包装袋には、前記開閉部が設けられた位置の目安となる表示部が設けられることを特徴とする包装袋。
【請求項２】
胴部と、前記胴部の天面を覆う頂部と、を備えて内部に複数の物品を収容し、当該収容状態において略直方体形状を呈する包装袋であって、
前記頂部は、前記天面を覆う、一対の傾斜面と前記一対の傾斜面の端縁同士をそれぞれ接続する一対の折り込み部とを有する屋根型形状を呈し、
前記頂部には、破断に応じ開口を形成することで前記包装袋を開封する開封線が設けられ、
前記頂部には、前記包装袋の底部に対して垂直な方向において前記開封線よりも下側に配置され前記一対の傾斜面および前記一対の折り込み部の内側面に設けられる互いに係合可能な一対の係合部を有し、前記包装袋の内部を開放／閉塞することが可能な開閉部が設けられ、
前記包装袋には、前記開閉部が設けられた位置の目安となる表示部が設けられることを特徴とする包装袋。
【請求項３】
前記表示部は、前記開閉部に沿って設けられ、および／または、前記開閉部の近傍に設けられることを特徴とする請求項１または２に記載の包装袋。
【請求項４】
前記表示部は、色、模様、文字またはこれらの結合を含んで構成されることを特徴とする請求項１から請求項３のいずれか一項に記載の包装袋。
【請求項５】
前記表示部は、前記包装袋の表面に設けられることを特徴とする請求項１から請求項４のいずれか一項に記載の包装袋。
【請求項６】
前記一対の係合部は、雌係合部材と雄係合部材とで構成され、
前記表示部は、前記雌係合部材および前記雄係合部材の全体または一部を着色して設けられることを特徴とする請求項１から請求項５のいずれか一項に記載の包装袋。
【請求項７】
前記雌係合部材および前記雄係合部材は、それぞれ異なる色で着色されていることを特徴とする請求項６に記載の包装袋。
【請求項８】
前記雌係合部材と前記雄係合部材とが互いに係合すると、色の表示状態が変化することを特徴とする請求項６または請求項７に記載の包装袋。
【請求項９】
前記物品は、衛生用品であることを特徴とする請求項１から請求項８のいずれか一項に記載の包装袋。
【請求項１０】
請求項１から請求項９のいずれか一項に記載の包装袋により前記物品が収容されていることを特徴とする包装体。
【発明の詳細な説明】
【技術分野】
【０００１】
本発明は、包装袋および包装体に関する。特に、包装対象となる物品の中でも衛生用品を収容するのに好適な包装袋と当該包装袋により衛生用品を収容した包装体に関する。
【背景技術】
【０００２】
物品、例えば、靴下、肌着等の衣類や、使い捨ておむつ、軽失禁パッド、生理用品等の衛生用品を収容可能な包装袋の一例が、例えば、特許文献１に開示されている。ユーザは当該包装袋を開封して、必要な枚数の物品を取り出すことができる。
【０００３】
一方、開封後の包装袋に収容された物品をできる限り清潔に保つために、包装袋の開口を開放／閉塞することが可能な開閉部を包装袋に設けることが好ましい。当該開閉部は、例えば、互いに係合して閉塞可能な一対の係合部材として包装袋の頂部に設けられる。
【先行技術文献】
【特許文献】
【０００４】
【特許文献１】特開２００１−２４７１８１号公報
【発明の概要】
【発明が解決しようとする課題】
【０００５】
ここで、開閉部を、特許文献１に記載されたような包装袋の頂部の開口付近に設け、開封後に開閉部により閉塞しようとすると、開閉部の一対の係合部材が形成された位置を特定しにくいため、一対の係合部材を係合する作業に手間が掛かる場合があった。また、当該一対の係合部材を係合したつもりでも実際には係合が不充分であり、開閉部の一部が開いたままの状態になることがあった。そのため、包装袋の閉塞が適切に行われないおそれがあった。
【０００６】
本発明の目的は、簡単、迅速且つ確実に開閉部を閉じることが可能な包装袋および包装体を提供することにある。
【課題を解決するための手段】
【０００７】
本発明による包装袋は、胴部と、胴部の天面を覆う頂部と、を備えて物品を収容可能な包装袋であって、頂部には包装袋の内部を開放／閉塞することが可能な開閉部と、開閉部が設けられた位置の目安となる表示部とが設けられることを特徴とするものである。
【０００８】
また、本発明による包装体は、本発明による包装袋によって物品を収容したことを特徴とするものである。
【発明の効果】
【０００９】
本発明によれば、開閉部の位置を特定し易いため、開閉部を簡単且つ迅速に閉じて、包装袋を速やかに閉塞することが可能となる。
【図面の簡単な説明】
【００１０】
【図１】本発明の実施形態１−１に係る、開封前の包装袋および包装体の斜視図である。
【図２】本発明の実施形態１−１に係る、開封前の包装袋および包装体を示す図であり、（ａ）は図１のＩＩＡ方向の正面図、（ｂ）は上面図、（ｃ）は底面図である。
【図３】本発明の実施形態１−１に係る包装袋を閉塞する様子について説明するための図であり、（ａ）は図２（ｂ）のＩＩＩＡ−ＩＩＩＡ方向断面図、（ｂ）は開封後かつ閉塞後の包装袋の開閉部付近を示す図である。
【図４】本発明の実施形態１−１に係る、閉塞後の包装袋および包装体の斜視図である。
【図５】本発明の実施形態２−１に係る、開封前の包装袋および包装体の斜視図である。
【図６】本発明の実施形態２−１に係る、開封前の包装袋および包装体を示す図であり、（ａ）は図５のＶＩＡ方向の正面図、（ｂ）は上面図、（ｃ）は底面図である。
【図７】本発明の実施形態２−１に係る、開封後の包装袋および包装体を示す図であり、（ａ）は斜視図、（ｂ）は図７（ａ）のＶＩＩＢ方向の正面図、（ｃ）は上面図である。
【図８】図６（ａ）のＶＩＩＩ−ＶＩＩＩ方向の断面を表した模式図である。
【図９】本発明の実施形態２−１に係る包装袋を閉塞する様子について説明するための図であり、（ａ）は図６（ｂ）のＩＸＡ−ＩＸＡ方向断面図、（ｂ）は図７（ｃ）のＩＸＢ−ＩＸＢ方向断面図、（ｃ）は開封後かつ閉塞後の包装袋の開閉部付近を示す図である。
【図１０】本発明の実施形態２−１に係る、閉塞後の包装袋および包装体の斜視図である。
【図１１】本発明の実施形態２−２に係る、開封前の包装袋および包装体の斜視図である。
【図１２】本発明の実施形態２−２に係る、開封前の包装袋および包装体を示す図であり、（ａ）は図１１のＸＩＩＡ方向の正面図、（ｂ）は上面図、（ｃ）は底面図である。
【図１３】本発明の実施形態２−２に係る、開封後の包装袋および包装体を示す図であり、（ａ）は斜視図、（ｂ）は図１３（ａ）のＸＩＩＩＢ方向の正面図、（ｃ）は上面図である。
【図１４】図１２（ａ）のＸＩＶ−ＸＩＶ方向の断面を表した模式図である。
【図１５】本発明の実施形態２−２に係る包装袋を閉塞する様子について説明するための図であり、（ａ）は図１２（ｂ）のＸＶＡ−ＸＶＡ方向断面図、（ｂ）は図１３（ｃ）のＸＶＢ−ＸＶＢ方向断面図、（ｃ）は開封後かつ閉塞後の包装袋の開閉部付近を示す図である。
【図１６】本発明の実施形態２−２に係る、閉塞後の包装袋および包装体の斜視図である。
【発明を実施するための形態】
【００１１】
以下、図面を参照しながら本発明を実施するための形態を詳細に説明する。
【００１２】
なお、本明細書および特許請求の範囲の記載において、「天面」および「底面」とは、包装袋によって画成された物品の収容空間の面自体を指すものとして参照される。但し、これらの用語はあくまで便宜上のものであり、重力方向における絶対的な位置を規定するものではないことは勿論である。また、「上」、「下」などの用語についても同様である。「底面部」とは、「底面」に位置している包装袋の実体的な部分を指すものとして参照される。一方、「頂部」とは、天面を覆っている実体的な部分である天面部と、これに必要に応じて付帯する部分と、を含む部分を言い、当該付帯部分がない場合には天面部自体と等しい。
【００１３】
また、本明細書および特許請求の範囲の記載において、「包装体」とは、物品が収容された状態の包装袋、特に包装袋に複数の物品が収容されることで製造された後であって且つ開封前のものをいう。
【００１４】
さらに、本明細書および特許請求の範囲の記載における「閉塞」という用語は、包装袋の内部を雰囲気から完全に遮断すること（すなわち封止すること）だけでなく、包装袋の内部を異物の侵入から効果的に保護できる程度に実質的に包装袋を閉じることも包含するものである。
【００１５】
本明細書および特許請求の範囲の記載において、「接着」とは、接着剤を使用したものの他、溶着によるもの、熱融着（以下、ヒートシールということがある）によるものも含む。
【００１６】
本発明の実施形態に係る包装袋は、当該包装袋の頂部に設けられた開閉部の位置の目安となる表示部を設けることにより、開閉部の位置を容易に特定できる結果、開閉部を簡単且つ迅速に閉じることが可能となるものである。
【００１７】
＜実施形態１＞  
本発明の実施形態１に係る包装袋は、いわゆる、天面側に片ガセットを配置したタイプのものである。次の実施形態１−１から実施形態１−４において、上記表示部を設けた包装袋の４つの形態についてそれぞれ説明する。
【００１８】
＜実施形態１−１＞  
図１および図２に本発明の実施形態１−１に係る、開封前の包装袋１および包装体１００を示し、図１は斜視図、図２（ａ）は図１のＩＩＡ方向の正面図、図２（ｂ）は上面図、図２（ｃ）は底面図をそれぞれ表す。図２（ａ）は、説明を容易にするため、包装袋１の一部を破断している状態を示している（図２（ａ）中、一点鎖線が破断線を表す）。
【００１９】
本実施形態に係る包装袋１は、天面と底面との間の物品（実施形態１では衛生用品２）を収容する空間を実質的に画成する胴部３と、当該胴部３の天面を覆う頂部４とを備えて構成される。なお、これらの部分は別体に製造された後に一体化されたものではなく、１枚のシート状部材の折り曲げ等によって予め一体に形成されているものである。
【００２０】
本実施形態の包装袋１は、図１に示すように、衛生用品２を複数収容した状態で略直方体形状を呈し、胴部３は、包装袋１の底面部と略垂直な４つの側面部を有する。図２（ｂ）に示すように、その略直方体を包装袋１の天面部５側からみた場合の包装袋１の上面の形状は略長方形である。なお、本明細書および特許請求の範囲の記載において「略直方体」というときは、当然に立方体も含まれるし、「略長方形」というときは、当然に正方形も含まれる。包装袋１の上面の形状が正方形である場合、いずれの辺を本明細書および特許請求の範囲の記載における長辺（または短辺）とみなしてもよい。
【００２１】
頂部４には、包装袋１の胴部３の底面部（図２（ｃ）を参照）と略平行な天面部５とこれに付帯する立ち上がり部６とが設けられる。天面部５の中央付近には、上記略長方形の長辺と略平行に開封線７が設けられ、これを破断することで、包装袋１が開封され、包装袋１の開口が形成される。開封線７は、例えば、ミシン目として天面部５上に形成される。
【００２２】
頂部４には包装袋１の内部を開放／閉塞することが可能な開閉部８が設けられる。本実施形態では、開閉部８を閉じることによって包装袋１の開口を閉塞し、開閉部８を開くことによって包装袋１の開口を開放する。具体的には、開閉部８は、例えば、互いに係合（例えば、咬合）することで包装袋１の開口を閉塞可能な一対の係合部材を有するチャックで構成され、図１および図２（ｂ）に示すように、互いに係合可能な雌係合部材８ａと雄係合部材８ｂとで構成される。本実施形態では、開閉部８は、包装袋１の胴部３の底面部と略平行であって、頂部４の立ち上がり部６のうち内周部分に設けられ、例えば、包装袋１の表面に接着することによって形成される。本実施形態では、図２（ｂ）に示す略長方形の上半分の内周部分に雌係合部材８ａが形成され、図２（ｂ）に示す略長方形の下半分の内周部分に雄係合部材８ｂが形成される。開閉部８を設けることによって、必要な枚数の衛生用品２を取り出した後、包装袋１の開口を閉塞することが可能となるため、開封後に塵埃や虫などの異物が侵入し衛生用品２に付着することを防止することが可能となる。
【００２３】
頂部４には開閉部８が設けられた位置の目安となる表示部９が設けられる。本実施形態では、表示部９は、包装袋１の表面に、開閉部８に沿って連続して（途切れなく）設けられ、図１、図２（ａ）中、ハッチングとして示される。具体的には、表示部９は、図１および図２（ｂ）に示すように、雌係合部材８ａの位置の目安となる第１の表示部９ａと、雄係合部材８ｂの位置の目安となる第２の表示部９ｂと、を有する。第１の表示部９ａおよび第２の表示部９ｂは、頂部４の立ち上がり部６のうち外周部分にそれぞれ設けられる。本実施形態では、図２（ｂ）に示す略長方形の上半分の外周部分に第１の表示部９ａが設けられ、図２（ｂ）に示す略長方形の下半分の外周部分に第２の表示部９ｂが設けられる。尚、本実施形態では、表示部９は、立ち上がり部６のうち外周部分に設けられているが、これに限られず、立ち上がり部６のうち内周部分に設けられても良い。また、本実施形態では、表示部９は、開閉部８に沿って連続して設けられているが、開閉部８の近傍に設けられても良いし、断続して（間欠的に）設けられても良い。
【００２４】
表示部９は、例えば、色、模様（図形、デザインを含む）、文字（記号を含む）またはこれらの結合を含んで構成される。表示部９は、例えば、印刷加工、プレス加工などによって包装袋１の表面に形成される。本実施形態では、包装袋１の表面を着色することによって表示部９を設ける場合、視認性を良くするため、その着色は、包装袋１のうち表示部９周辺の色と異なるようにする。尚、第１の表示部９ａの着色と第２の表示部９ｂの着色とを異ならせたり、第１の表示部９ａおよび第２の表示部９ｂのどちらか一方のみを着色したりしても良い。
【００２５】
本実施形態では、「模様」は、実線、破線、矢印などの図形や、人物、動物、植物、アニメーションキャラクターなどのデザインを含む。また、「模様」は、包装袋１の表面を加工して凸凹状にしたものを含む。包装袋１の表面を凸凹状に加工することにより表示部９を設ける場合、ユーザは、視覚に頼らず触覚で表示部９の箇所を把握し、開閉部８の位置を特定することが可能となる。本実施形態では、「文字」は、開閉部８の位置を特定するような文言や記号を含む。
【００２６】
図２（ａ）に示すように、開閉部８は、収容された衛生用品２に対し、胴部３の底面部に垂直な方向において、間隙Ｌをもって位置するように形成されている。当該間隙Ｌが設けられることによって、開閉部８のうち雌係合部材８ａと雄係合部材８ｂとが、互いに対峙して容易に係合できる範囲に移動することができるため、包装袋１を閉塞することが可能となる。
【００２７】
図３を用い、本発明の実施形態１−１に係る包装袋１を閉塞する様子について説明する。ここで、図３（ａ）は、図２（ｂ）のＩＩＩＡ−ＩＩＩＡ方向断面図であって、開封前の包装袋１の開閉部８付近を示し、図３（ｂ）は、開封後かつ閉塞後の包装袋１の開閉部８付近の模式図を示す。また、図４に閉塞後の包装袋１および包装体１００の斜視図を示す。
【００２８】
包装袋１の開封前の開閉部８については、図３（ａ）に示すように、雌係合部材８ａと雄係合部材８ｂとが互いに離れて、対向している様子がわかる。開封後の包装袋１を閉塞する際の開閉部８については、図３（ｂ）に示すように、雌係合部材８ａと雄係合部材８ｂとが互いに係合して包装袋１を閉塞している様子がわかる。包装袋１を閉塞すると、包装袋１は図４に示すような状態になる。
【００２９】
ユーザは、例えば、開封線７を破断して包装袋１の開封後に必要な枚数の衛生用品２を取り出した後、包装袋１に収容された残りの衛生用品２を清潔に保つため、開閉部８を閉じて包装袋１の開口を閉塞する。本実施形態によれば、この開閉部８を閉じる際、ユーザは、第１の表示部９ａ、第２の表示部９ｂを見て（または触って）、雌係合部材８ａの位置、雄係合部材８ｂの位置をそれぞれ把握して特定することが可能になる。よって、本実施形態によれば、雌係合部材８ａと雄係合部材８ｂとを係合しやすくなり、開閉部８を簡単且つ迅速に閉じて、包装袋１を速やかに閉塞することが可能となる。
【００３０】
本実施形態では、物品として衛生用品を対象としたが、衛生用品は、他の物品に比べて、包装袋内部への異物の侵入を防ぐことへの要求が高いことから、本発明の効果をより享受できる。
【００３１】
ここで包装袋１の製造工程の一例を以下に述べる。
【００３２】
包装袋１は、一側縁にはガセット部が設けられ、当該一側縁に対向する他側縁が開放状態になった長尺状のフィルム（以下、片ガセットフィルムということがある）から製造される。上記ガセット部は、一側縁を谷折りにしたガセット構造となっており、一側縁を谷折りにして形成される２つの山（以下、ガセット半部ということがある）を有する。
（１）先ず、包装袋１の天面部５および立ち上がり部６が形成される領域を設けるため、ガセット半部の先端から基端までの間のうち一定幅で、図２（ａ）に示す包装袋１の正面から見て横方向に相当する方向（片ガセットフィルムの長手方向）に、ガセット半部の内側の面を接着する。この接着は、２つのガセット半部についてそれぞれ行われ、例えば、ヒートシールによって行われる。  
（２）そして、図２（ａ）に示す包装袋１の正面から見て横方向に相当する方向（片ガセットフィルムの長手方向）において所定間隔で、一側縁から他側縁までを一定幅で片ガセットフィルムを接着し、片ガセットフィルムに複数の接着部を形成させる。  
（３）次に、接着部の幅が半分になるように、図２（ａ）に示す包装袋１の高さ方向に相当する方向（片ガセットフィルムの短手方向）に沿って、複数の接着部をそれぞれ切断していくと、両側端が接着された個々の袋状のフィルムを得ることができる。  
（４）個々になった袋状のフィルムのうちガセット部を折り畳んで、天面部５、立ち上がり部６、および４つの側面部を形成することによって、底面部が開放状態の包装袋１を得ることができる。衛生用品２は、その開放された他側縁から挿入され、図１の破断部分に示すように収容され、他側縁を折り込むことによって包装袋１に収容されることになる。折り込まれた他側縁は、接着によって封止される。
【００３３】
本実施形態では、図１に示すように、包装袋１の４つの側面部のうち対向する２つの側面部は、接着部を切断したときにできるシール部を中央付近にそれぞれ有し、残りの対向する２つの側面部は、シール部を有さない略フラットな面をそれぞれ有する。
【００３４】
本実施形態では、表示部９は、例えば、上記製造工程（１）の前、または、工程（１）の中において、図２（ａ）に示す包装袋１の正面から見て横方向に相当する方向（片ガセットフィルムの長手方向）に沿って片ガセットフィルムの表面に形成され、開閉部８が形成される位置に対応するように設けられる。尚、対向する２つの側面部に形成されたシール部、例えば、図１および図２（ａ）においてＡで表す箇所が、表示部９の一部を含むような形態であっても良いし、表示部９の一部を含まない形態であっても良い。
【００３５】
＜実施形態１−２＞  
本発明の実施形態１−２に係る包装袋は、実施形態１−１に係る包装袋１と異ならせ、包装袋１の表面に表示部９を設ける代わりに、開閉部８自体に色、模様等を付して表示部９として設けることで、開閉部８の位置を特定し易くし、開閉部８を簡単且つ迅速に閉じることが可能となるものである。本実施形態に係る包装袋を構成する各要素のうち、同様の機能を有するものについては、実施形態１−１と同一の符号を付してその説明を省略する。
【００３６】
本実施形態では、表示部９は、雌係合部材８ａおよび雄係合部材８ｂの全体または一部を着色して設けられ、雌係合部材８ａの位置の目安となる第１の表示部９ａと、雄係合部材８ｂの位置の目安となる第２の表示部９ａと、を有する。雌係合部材８ａおよび雄係合部材８ｂに着色して表示部９を設ける際には、色と共に模様や文字を付しても良い。
【００３７】
ユーザは、開閉部８を閉じる際、第１の表示部９ａ、第２の表示部９ｂを見て、雌係合部材８ａの位置、雄係合部材８ｂの位置をそれぞれ把握して特定することが可能になる。よって、本実施形態によれば、実施形態１−１と同様に、雌係合部材８ａと雄係合部材８ｂとを係合しやすくなり、開閉部８を簡単且つ迅速に閉じて、包装袋１を速やかに閉塞することが可能となる。
【００３８】
＜実施形態１−３＞  
本発明の実施形態１−３に係る包装袋では、実施形態１−２に係る包装袋１において、雌係合部材８ａの着色および雄係合部材８ｂの着色を異ならせる。この構成により、開閉部８の位置を容易に特定しつつ、雌係合部材８ａおよび雄係合部材８ｂを別個にそれぞれ把握することができるため、実施形態１−２よりも、雌係合部材８ａと雄係合部材８ｂとを係合し易くなり、開閉部を簡単且つ迅速に閉じることが可能となるものである。本実施形態に係る包装袋を構成する各要素のうち、同様の機能を有するものについては、実施形態１−１と同一の符号を付してその説明を省略する。
【００３９】
本実施形態では、実施形態１−２と同様に、表示部９は、雌係合部材８ａおよび雄係合部材８ｂの全体または一部を着色して設けられ、雌係合部材８ａの位置の目安となる第１の表示部９ａと、雄係合部材８ｂの位置の目安となる第２の表示部９ａと、を有する。本実施形態では、雌係合部材８ａおよび雄係合部材８ｂは、それぞれ異なる色で着色されている。尚、雌係合部材８ａおよび雄係合部材８ｂのどちらか一方のみを着色しても良い。また、雌係合部材８ａのうち凹部分のみを着色し、雄係合部材８ｂのうち凸部分のみを着色することが、雌係合部材８ａおよび雄係合部材８ｂのうち係合すべき箇所を知る上で好ましい。
【００４０】
本実施形態によれば、実施形態１−２よりも、開閉部を簡単且つ迅速に閉じて、包装袋を速やかに閉塞することが可能となる。
【００４１】
＜実施形態１−４＞  
本発明の実施形態１−４に係る包装袋では、実施形態１−２に係る包装袋１において、雌係合部材８ａと雄係合部材８ｂとを互いに係合させた場合に、色の表示状態が変化する。このような構成により、開閉部８の位置を特定しつつ、雌係合部材８ａと雄係合部材８ｂとが係合されたか否かを把握することができるため、実施形態１−２よりも、雌係合部材８ａと雄係合部材８ｂとを係合させ易くなり、簡単、迅速且つ確実に開閉部８を閉じることが可能となるものである。本実施形態に係る包装袋を構成する各要素のうち、同様の機能を有するものについては、実施形態１−１と同一の符号を付してその説明を省略する。
【００４２】
本実施形態では、実施形態１−２と同様に、表示部９は、雌係合部材８ａおよび雄係合部材８ｂの全体または一部を着色して設けられ、雌係合部材８ａの位置の目安となる第１の表示部９ａと、雄係合部材８ｂの位置の目安となる第２の表示部９ａと、を有する。本実施形態では、雌係合部材８ａと雄係合部材８ｂとが互いに係合すると、表示部９の色の表示状態が変化する。
【００４３】
表示部９の色の表示状態の変化の様子について具体例を次に述べる。
【００４４】
雌係合部材８ａおよび雄係合部材８ｂを、（i）透過可能（透明）な部材、または、（ii）透過不可（不透明）な部材によってそれぞれ構成し、（α）異なる色、または、（β）同じ色に着色する。ここで「透明」とは、透過率の高低に関わらず、その先に在るものが透けて見えることをいい、例えば、雌係合部材８ａと雄係合部材８ｂとを係合したときに、雌係合部材８ａを介して雄係合部材８ｂの存在が視覚によって確認できることをいう。
【００４５】
上記（i）および上記（α）の組合せの具体例として、雌係合部材８ａを透明な部材によって構成して、雌係合部材８ａを白、雄係合部材８ｂを赤に着色するケースや、雌係合部材８ａを黄、雄係合部材８ｂを青に着色するケースが挙げられる。ここで、雌係合部材８ａと雄係合部材８ｂとを係合すると、雄係合部材８ｂが雌係合部材８ａの一部に覆われ、その覆われた部分において、透明な雌係合部材８ａの着色と雄係合部材８ｂの着色とが合わさって見えるため、当該係合した部分の色、つまり、表示部９の色の表示状態が変化する。前者のケースでは、当該係合した部分の色がピンクに変化し、後者のケースでは、当該係合した部分の色が緑に変化する。
【００４６】
また、上記（i）および上記（β）の組合せの具体例として、雌係合部材８ａを透明な部材によって構成して、雌係合部材８ａおよび雄係合部材８ｂを同じピンクに着色するケースが挙げられる。ここで、雌係合部材８ａと雄係合部材８ｂとを係合すると、当該係合した部分の色が濃いピンクに変化するため、表示部９の色の表示状態が変化することになる。
【００４７】
上記（ii）および上記（α）の組合せの具体例として、雌係合部材８ａを不透明な部材によって構成して、雌係合部材８ａを白、雄係合部材８ｂを赤に着色するケースが挙げられる。ここで、雌係合部材８ａと雄係合部材８ｂとが互いに係合すると、雄係合部材８ｂが雌係合部材８ａの一部に覆われ、雄係合部材８ｂの着色である赤が見えなくなる。このように、雌係合部材８ａと雄係合部材８ｂとを互いに係合したときに、表示部９の一部が見えなくなることによって、表示部９の色の表示状態を変化させても良い。
【００４８】
上述した各例で説明したように、色の表示状態が変化することにより、ユーザは雌係合部材８ａと雄係合部材８ｂとが確実に係合しているか否かを知ることができる。本実施形態によれば、実施形態１−２の効果を享受できるとともに、雌係合部材８ａと雄係合部材８ｂとが係合されたか否かを把握することが可能となるので、実施形態１−２よりも、開閉部を確実に閉じることが可能となる。
【００４９】
＜実施形態２＞  
本発明の実施形態２に係る包装袋は、胴部の天面を覆う屋根型形状の頂部を有したものである。このような実施形態１と異なる形状の包装袋についても、包装袋の頂部に表示部を設けることにより、開閉部を簡単且つ迅速に閉じることが可能となる。
【００５０】
開封線および開閉部が設けられる位置がそれぞれ異なる包装袋の２つの形態について、次の実施形態２−１および実施形態２−２においてそれぞれ説明する。図５から図１６に示す実施形態２−１および実施形態２−２に係る包装袋を構成する各要素のうち、同様の機能を有するものについては、同一の符号を付してその説明を省略する。
【００５１】
＜実施形態２−１＞  
本発明の実施形態２−１に係る包装袋では、屋根型形状を構成する一対の傾斜面部の一方に開封線を設け、一対の傾斜面部の内周に開閉部を設ける。
【００５２】
図５および図６に本発明の実施形態２−１に係る、開封前の包装袋１０および包装体１１０を示し、図５は斜視図、図６（ａ）は図５のＶＩＡ方向の正面図、図６（ｂ）は上面図、図６（ｃ）は底面図をそれぞれ表す。また、図７に本実施形態に係る、開封後の包装袋１０’および包装体１１０’を示し、図７（ａ）は斜視図、図７（ｂ）は図７（ａ）のＶＩＩＢ方向の正面図、図７（ｃ）は上面図をそれぞれ表す。図６（ａ）および図７（ｂ）は、説明を容易にするため、包装袋１０および包装袋１０’の一部を破断している状態をそれぞれ示している（図６（ａ）および図７（ｂ）中、一点鎖線が破断線を表す）。
【００５３】
包装袋１０は、天面と底面との間の物品（本実施形態においては衛生用品２）を収容する空間を実質的に画成する胴部１３と、胴部１３の天面を覆う頂部１４とを備えて構成される。なお、これらの部分は別体に製造された後に一体化されたものではなく、１枚のシート状部材の折り曲げ等によって予め一体に形成されているものである。
【００５４】
本実施形態の包装袋１０の胴部１３は、包装袋１０の底面部（図６（ｃ）を参照）と略垂直な４つの側面部を有する。図６（ｂ）に示すように、包装袋１０の天面側からみた場合の包装袋１０の上面の形状は略長方形である。
【００５５】
頂部１４には、一対の傾斜面部１５とこれらに挟まれるように立ち上がり部１６とが設けられる。一対の傾斜面部１５の一方には、図６（ａ）に示すように、図６（ｂ）に示す略長方形の長辺と略平行に開封線１７が設けられ、これを破断することで、包装袋１０が開封され、包装袋１０の開口が形成される。
【００５６】
図８は図６（ａ）のＶＩＩＩ−ＶＩＩＩ方向の断面を表した模式図である。この断面は、包装袋１０の頂部１４を、開封線１７を含めるように破断したときに形成される開口を簡略的に示したものである。図８では開封線１７を間欠的にハッチングした部分で表す。本実施形態では、図８に示すように、開封線１７は、胴部１３の底面部に略平行であって、一対の傾斜面部１５の一方の面と、頂部１４のうち側面部の上方に延在する２つの折り込み部分とに形成され、一対の傾斜面部１５の他方の面には形成されていないことがわかる。このように形成された開封線１７を破断すると、図７（ａ）および図７（ｂ）に示すように、立ち上がり部１６が残った状態で、包装袋１０に略長方形の開口が形成され、包装袋１０が開封される。
【００５７】
包装袋１０の内側の面のうち頂部１４には包装袋１０の内部を開放／閉塞することが可能な開閉部１８が設けられる。開閉部１８は、実施形態１−１と同様に、例えば、互いに係合することで包装袋の開口を閉塞可能な一対の係合部材で構成されたチャックで構成され、図５および図６（ｂ）に示すように、互いに係合可能な雌係合部材１８ａと雄係合部材１８ｂとで構成される。本実施形態では、開閉部１８は、包装袋１０の胴部１３の底面部と略平行であって、包装袋１０の傾斜面部１５のうち内側の面に設けられる。本実施形態では、図７（ｃ）に示す略長方形の上半分の内周部分に雌係合部材１８ａが形成され、図７（ｃ）に示す略長方形の下半分の内周部分に雄係合部材１８ｂが形成される。
【００５８】
頂部１４には開閉部１８が設けられた位置の目安となる表示部１９が設けられる。本実施形態では、表示部１９は、包装袋１０の表面に、開閉部１８に沿って連続して（途切れなく）設けられ、図５から図７中、ハッチングとして示される。具体的には、表示部１９は、図５から図７に示すように、雌係合部材１８ａの位置の目安となる第１の表示部１９ａと、雄係合部材１８ｂの位置の目安となる第２の表示部１９ｂと有する。第１の表示部１９ａおよび第２の表示部１９ｂは、頂部１４の傾斜面部１５のうち外周部分にそれぞれ設けられる。本実施形態では、図７（ｃ）に示す略長方形の上半分の外周部分に第１の表示部１９ａが設けられ、図７（ｃ）に示す略長方形の下半分の外周部分に第２の表示部１９ｂが設けられる。尚、本実施形態では、表示部１９は、傾斜面部１５のうち外周部分に設けられているが、これに限られず、傾斜面部１５のうち内周部分に設けられても良い。また、本実施形態では、表示部１９は、開閉部１８に沿って連続して設けられているが、開閉部１８の近傍に設けられても良いし、断続して（間欠的に）設けられても良い。
【００５９】
表示部１９は、例えば、色、模様（図形、デザインを含む）、文字（記号を含む）またはこれらの結合を含んで構成される。表示部１９の構成の詳細は、実施形態１−１に係る表示部９と同様である。
【００６０】
図７（ｂ）に示すように、開封後の包装袋１０’において、開閉部１８は、収容された衛生用品２に対し、胴部１３の底面部に垂直な方向において、間隙Ｌ’をもって位置するように形成されている。当該間隙Ｌ’が設けられることによって、開閉部１８のうち雌係合部材１８ａと雄係合部材１８ｂとが、互いに対峙して容易に係合できる範囲に移動することができるため、包装袋１０’を閉塞することが可能となる。
【００６１】
図９を用い、本発明の実施形態２に係る包装袋１０’を閉塞する様子について説明する。ここで、図９（ａ）は、図６（ｂ）のＩＸＡ−ＩＸＡ方向断面図であって、開封前の包装袋１０および包装体１１０の開閉部１８付近を示し、図９（ｂ）は、図７（ｃ）のＩＸＢ−ＩＸＢ方向断面図であって、開封後の包装袋１０’および包装体１１０’の開閉部１８付近を示す。また、図９（ｃ）は、開封後かつ閉塞後の包装袋１０’および包装体１１０’の開閉部１８付近を示す。さらに、図１０に閉塞後の包装袋１０’および包装体１１０’の斜視図を示す。
【００６２】
開封前の包装袋１０の開閉部１８については、図６（ｂ）、図９（ａ）に示すように、雌係合部材１８ａと雄係合部材１８ｂとが互いに離れて、並行して配設されている様子がわかる。開封後の包装袋１０’の開閉部１８については、図９（ｂ）に示すように、雌係合部材１８ａと雄係合部材１８ｂとが互いに離れて、対向している様子がわかる。閉塞する際の開閉部１８については、図９（ｃ）に示すように、雌係合部材１８ａと雄係合部材１８ｂとが互いに係合して包装袋１０’を閉塞している様子がわかる。包装袋１０’を閉塞すると、包装袋１０’は図１０に示すような状態になる。
【００６３】
ユーザは、例えば、開封線１７を破断して包装袋１０の開封後に必要な枚数の衛生用品２を取り出した後、包装袋１０’に収容された残りの衛生用品２を清潔に保つため、開閉部１８を閉じて包装袋１０’の開口を閉塞する。本実施形態によれば、実施形態１―１と同様に、この開閉部１８を閉じる際、ユーザは、第１の表示部１９ａ、第２の表示部１９ｂを見て（または触って）、雌係合部材１８ａの位置、雄係合部材１８ｂの位置をそれぞれ把握して特定することが可能になる。よって、雌係合部材１８ａと雄係合部材１８ｂとを係合しやすくなり、開閉部１８を簡単且つ迅速に閉じて、包装袋１０’を速やかに閉塞することが可能となる。
【００６４】
＜実施形態２−２＞  
本発明の実施形態２−２に係る包装袋では、屋根型形状を構成する一対の傾斜面部の双方に開封線を設け、一対の傾斜面部の内周に開閉部を設ける。
【００６５】
図１１および図１２に本発明の実施形態２−２に係る、開封前の包装袋１０および包装体１２０を示し、図１１は斜視図、図１２（ａ）は図１１のＸＩＩＡ方向の正面図、図１２（ｂ）は上面図、図１２（ｃ）は底面図をそれぞれ表す。また、図１３に本実施形態に係る、開封後の包装袋１０’および包装体１２０’を示し、図１３（ａ）は斜視図、図１３（ｂ）は図１３（ａ）のＸＩＩＩＢ方向の正面図、図１３（ｃ）は上面図をそれぞれ表す。図１２（ａ）および図１３（ｂ）は、説明を容易にするため、包装袋１０および包装袋１０’の一部を破断している状態をそれぞれ示している（図１２（ａ）および図１３（ｂ）中、一点鎖線が破断線を表す）。
【００６６】
本実施形態の包装袋１０の胴部１３は、包装袋１０の底面部（図１２（ｃ）を参照）と略垂直な４つの側面部を有し、図１１に示すように、包装袋１０の天面側からみた場合の包装袋１０の上面の形状は略長方形である。
【００６７】
一対の傾斜面部１５には、図１２（ａ）に示すように、図１２（ｂ）に示す略長方形の長辺と略平行に開封線１７が設けられ、これを破断することで、包装袋１０が開封され、包装袋１０の開口が形成される。
【００６８】
図１４は図１２（ａ）のＸＩＶ−ＸＩＶ方向の断面を表した模式図である。この断面は、包装袋１０の頂部１４を、開封線１７を含めるように破断したときに形成される開口を簡略的に示したものである。図１４では開封線１７を間欠的にハッチングした部分で表す。本実施形態では、図１４に示すように、開封線１７は、胴部１３の底面部に略平行であって、一対の傾斜面部１５の双方の面と、頂部１４のうち側面部の上方に延在する２つの折り込み部分とに形成されていることがわかる。このように形成された開封線１７を破断すると、図１３（ａ）および図１３（ｂ）に示すように、立ち上がり部１６が除去され、包装袋１０に略長方形の開口が形成され、包装袋１０が開封される。
【００６９】
包装袋１０の内側の面のうち頂部１４には、実施形態２−１と同様に、包装袋１０の内部を開放／閉塞することが可能な開閉部１８が設けられる。開閉部１８は、実施形態２−１と同様に、互いに係合可能な雌係合部材１８ａと雄係合部材１８ｂとで構成される。本実施形態では、開閉部１８は、包装袋１０の胴部１３の底面部と略平行であって、包装袋１０の傾斜面部１５のうち内側の面に設けられる。本実施形態では、図１３（ｃ）に示す略長方形の上半分の内周部分に雌係合部材１８ａが形成され、図１３（ｃ）に示す略長方形の下半分の内周部分に雄係合部材１８ｂが形成される。
【００７０】
図１３（ｂ）に示すように、開封後の包装袋１０’において、開閉部１８は、収容された物品（本実施形態においては衛生用品２）に対し、胴部１３の底面部に垂直な方向において、間隙Ｌ’をもって位置するように形成されている。この構成により、実施形態２−１と同様に、包装袋１０’を閉塞することが可能となっている。
【００７１】
図１５を用い、本発明の実施形態２−２に係る包装袋１０’を閉塞する様子について説明する。ここで、図１５（ａ）は、図１２（ｂ）のＸＶＡ−ＸＶＡ方向断面図であって、開封前の包装袋１０および包装体１２０の開閉部１８付近を示し、図１５（ｂ）は、図１３（ｃ）のＸＶＢ−ＸＶＢ方向断面図であって、開封後の包装袋１０’および包装体１２０’の開閉部１８付近を示す。また、図１５（ｃ）は、開封後かつ閉塞後の包装袋１０’および包装体１２０’の開閉部１８付近を示す。さらに、図１６に閉塞後の包装袋１０’および包装体１２０’の斜視図を示す。
【００７２】
開封前の包装袋１０の開閉部１８については、図１２（ｂ）、図１５（ａ）に示すように、雌係合部材１８ａと雄係合部材１８ｂとが互いに離れて、並行して配設され、開封後の包装袋１０’の開閉部１８については、図１５（ｂ）に示すように、雌係合部材１８ａと雄係合部材１８ｂとが互いに離れて、対向している様子がわかる。閉塞する際の開閉部１８については、図１５（ｃ）に示すように、雌係合部材１８ａと雄係合部材１８ｂとが互いに係合して包装袋１０’を閉塞している様子がわかる。包装袋１０’を閉塞すると、包装袋１０’は図１６に示すような状態になる。
【００７３】
ユーザは、例えば、開封線１７を破断して包装袋１０の開封後に必要な枚数の衛生用品２を取り出した後、包装袋１０’に収容された残りの衛生用品２を清潔に保つため、開閉部１８を閉じて包装袋１０’の開口を閉塞する。本実施形態によれば、実施形態２−１と同様に、この開閉部１８を閉じる際、ユーザは、第１の表示部１９ａ、第２の表示部１９ｂを見て（または触って）、雌係合部材１８ａの位置、雄係合部材１８ｂの位置をそれぞれ把握して特定することが可能になる。よって、雌係合部材１８ａと雄係合部材１８ｂとを係合しやすくなり、開閉部１８を簡単且つ迅速に閉じて、包装袋１０’を速やかに閉塞することが可能となる。また、本実施形態によれば、開封後に立ち上がり部１６が除去されるので、立ち上がり部１６が無い分、実施形態２−１より係合部材同士を係合しやすくなり、包装袋１０’を速やかに閉塞することが可能となる。
【００７４】
＜その他＞  
本発明は、上述した実施形態１および実施形態２や、随所に述べた変形例に限られることなく、本発明の技術的思想から逸脱しない範囲で、適宜の変更や変形が可能である。
【００７５】
例えば、上記各実施形態のみならず、実施形態１−１、実施形態２−１、および実施形態２−２のいずれか１つの形態と、実施形態１−２から実施形態１−４のいずれか１つの形態とを組合せる態様であっても良い。例えば、包装袋の立ち上がり部の外周部分に着色して表示部を設けつつ、開閉部自体を着色して表示部をさらに設けても良い。
【００７６】
上述した実施形態１に係る包装袋１から表示部９を除いた包装袋においては、胴部３の底面部に垂直な方向において、頂部４の上端（立ち上がり部６の上端縁）から開閉部８（雌係合部材８ａまたは雄係合部材８ｂ）までの距離が２０ｍｍ未満であることが、包装袋を速やかに閉塞する上で好ましい。これは、通常、ユーザが、係合部材同士を係合する箇所を目測して、その箇所の裏側から指で挟むように押圧して包装袋を閉塞するため、指が容易に届く範囲に係合部材が在ることが望まれるからである。ここで、頂部４の上端から開閉部８までの距離が２０ｍｍ以上である場合、立ち上がり部６がユーザの指と指の間等に接触して、立ち上がり部６が変形すると共に、立ち上がり部６に形成された係合部材も変形する結果、目測どおりの箇所において係合部材同士を係合しにくくなるケースが考えられる。しかし、表示部９を設けることで、頂部４の上端から開閉部８までの距離が２０ｍｍ以上の場合に、本発明の効果をより享受することが可能である。何故ならば、本発明では、開閉部８の位置の目安となる表示部９が設けられることにより、係合部材が変形したとしても開閉部８の位置が把握できるため、包装袋を迅速に閉塞することが可能となるためである。これは、上述した実施形態２に係る、開封後の包装袋１０’についても同様である。
【００７７】
上記各実施形態に係る包装袋では、開閉部が、胴部の底面部と略平行であって、包装袋の頂部の内側の面に形成されているが、これに限られず、開閉部は、胴部の底面部と平行にならないように（例えば、底面部に対して斜めに）設けられても良い。例えば、高さの異なる複数の物品が包装袋にそれぞれ収容されていた場合、この態様の開閉部によって、包装袋を適切に閉塞し、閉塞後の包装袋をコンパクトな形状にすることが可能になる。ここで、上記各実施形態に係る包装袋から表示部を除いた包装袋に、この構成を適用すると、略平行に設けた場合と比較して、開閉部が形成された位置が把握しづらく、開閉部を閉じにくい場合があることが考えられる。しかし、本発明では、開閉部の位置の目安となる表示部が設けられることにより開閉部の位置を把握できるため、平行にならないように開閉部を設けた場合に、包装袋を迅速に閉塞するという効果をより享受することが可能となる。
【００７８】
上記各実施形態では、包装袋の頂部の内側の面に、開閉部が１つ設けられているが、これに限られず、胴部の底面部に対して垂直方向に複数設けられても良い。この態様によって、例えば、収容された物品の残量に応じて閉塞する位置を選択することが可能となる。具体的には、包装袋が複数段の物品を収容していた場合、最上段の物品を使い切ったときに、次の段の物品の上端付近において開閉部を閉じることが可能となる。この構成により、包装袋を適切に閉塞しつつ、閉塞後の包装袋をコンパクトな形状にすることが可能となる。ここで、上記各実施形態に係る包装袋から表示部を除いた包装袋に、この構成を適用すると、開閉部が形成された位置が複数在るために別々に把握しづらく、開閉部を閉じにくい場合があることが予想される。しかし、本発明では、開閉部の位置の目安となる表示部が設けられることにより、それぞれの開閉部の位置を把握できるため、開閉部が複数設けられる場合に、包装袋を迅速に閉塞するという効果をより享受することが可能となる。また、異なる開閉部によって表示部を表示分け（例えば、色分け）することで、複数の開閉部の位置を別々に把握することが容易となる。
【００７９】
上記各実施形態に係る包装袋は、可搬性を考慮して、実施形態１に係る包装袋の立ち上がり部６の内側（または外側）の面に基端領域が接着された一対の持ち手部を備えたり、実施形態２に係る包装袋の立ち上がり部１６に手で持って提げるための穴を形成したりしても良い。ここで、実施形態１に係る包装袋１から表示部９を除いた包装袋に、この構成を適用すると、持ち手部の基端領域が邪魔になって、開閉部８が形成された位置が把握しづらく、開閉部８を閉じにくい場合が考えられる。しかし、本発明では、開閉部８の位置の目安となる表示部９が設けられることにより開閉部８の位置を把握できるため、上記持ち手部を備えた場合に、包装袋１を迅速に閉塞するという効果をより享受することが可能となる。
【００８０】
上記各実施形態では、開封線が形成されているが、包装袋を開封可能であるなら、開封線を形成せずに、簡単に破断可能な素材で構成された易破断部を包装袋の頂部付近に設けても良い。また、開封線を形成せずに、両縁を掴んで開封するような包装袋についても本発明は適用可能である。
【００８１】
上記各実施形態では、開閉部は、包装袋の開口を閉塞可能な一対の係合部材を有するチャックで構成されているが、これに限られず、例えば、雄係合部材と当該雄係合部材が繰り返し剥離可能に接着できる雌係合部材とで構成される面ファスナーを使用して包装袋の開口を閉塞しても良い。
【００８２】
上記各実施形態に係る包装袋は、開閉部のうち一方の係合部材と他方の係合部材とが、向かい合うように、包装袋の内側に設けられているが、これに限られず、開閉部を閉じ易いという本発明の所期の目的を達成し得るのであれば、開閉部を、互いに背向するように包装袋の外側に形成してもよい。
【００８３】
上記各実施形態に係る包装袋には、立ち上がり部が形成されているが、立ち上がり部を形成しない形態であっても良い。これにより、包装袋全体をコンパクトな形状にすることが可能となる。
【符号の説明】
【００８４】
１、１０、１０’  包装袋
２  衛生用品
３、１３  胴部
４、１４  頂部
５  天面部
６、１６  立ち上がり部
７、１７  開封線
８、１８  開閉部
９、１９  表示部
１５  傾斜面部
１００、１１０、１２０、１１０’ 、１２０’   包装体
【図１】
0006497259.tif 000002
【図２】
0006497259.tif 000003
【図３】
0006497259.tif 000004
【図４】
0006497259.tif 000005
【図５】
0006497259.tif 000006
【図６】
0006497259.tif 000007
【図７】
0006497259.tif 000008
【図８】
0006497259.tif 000009
【図９】
0006497259.tif 000010
【図１０】
0006497259.tif 000011
【図１１】
0006497259.tif 000012
【図１２】
0006497259.tif 000013
【図１３】
0006497259.tif 000014
【図１４】
0006497259.tif 000015
【図１５】
0006497259.tif 000016
【図１６】
0006497259.tif 000017